(57)【要約】【課題】超音波画像の取得とバイタルサインの取得を同時に行う場合に、継続的に安定してバイタルサインの取得を行うことができる生体情報測定システム、生体情報モニタ、超音波測定装置を提供すること。【解決手段】生体情報モニタ１０は、センサ３０を介して被験者のバイタルサインを測定する。超音波測定装置２０は、生体情報モニタ１０と接続可能に構成され、被験者の生体に超音波を照射して反射波を受信する探触子２１を有する。生体情報モニタ１０は、バイタルサインの測定または解析にかかる処理を行う第１処理部１４を備える。超音波測定装置２０は、超音波による測定または画像化にかかる処理の少なくとも一部を行う第２処理部２２を備える。【選択図】図２
2017051594.tif 000002
【特許請求の範囲】
【請求項１】
センサを介して取得した被験者の生体信号を基にバイタルサインを測定する生体情報モニタと、
前記生体情報モニタと接続可能に構成され、前記被験者の生体に超音波を照射して反射波を受信する探触子を有する超音波測定装置と、を備え、
前記生体情報モニタは、前記バイタルサインの測定または解析にかかる処理を行う第１処理部を備え、
前記超音波測定装置は、超音波による測定または画像化にかかる処理の少なくとも一部を行う第２処理部を備える、生体情報測定システム。
【請求項２】
前記生体情報測定システムは、所定のトリガが生じた場合に前記第１処理部及び前記第２処理部の少なくとも一方に制御指示を送信する第３処理部を備える、ことを特徴とする請求項１に記載の生体情報測定システム。
【請求項３】
前記生体情報測定システムは、ユーザからの操作が入力される第１操作部を更に備え、
前記第３処理部は、前記第１操作部における操作に基づいて、前記第１処理部及び前記第２処理部の少なくとも一方に制御指示を送信する、ことを特徴とする請求項２に記載の生体情報測定システム。
【請求項４】
前記第３処理部は、前記超音波測定装置に設けられている、ことを特徴とする請求項２または請求項３に記載の生体情報測定システム。
【請求項５】
前記超音波測定装置は、前記探触子と、前記第１操作部が設けられた操作筐体と、前記探触子と前記操作筐体を接続する第１ケーブルと、を備える、ことを特徴とする請求項３または請求項４に記載の生体情報測定システム。
【請求項６】
前記超音波測定装置は、前記探触子を用いて取得した超音波画像及び前記第１操作部の操作画面の少なくとも一方を表示する表示部を更に有する、ことを特徴とする請求項３〜請求項５のいずれか１項に記載の生体情報測定システム。
【請求項７】
前記第３処理部は、前記生体情報モニタに設けられている、ことを特徴とする請求項２または請求項３に記載の生体情報測定システム。
【請求項８】
前記第１操作部は、前記生体情報モニタ用の操作が入力される第１インターフェイスと、前記超音波測定装置用の操作が入力される第２インターフェイスと、を備え、
前記第１インターフェイスと前記第２インターフェイスは異なる形状を有する、ことを特徴とする請求項３に記載の生体情報測定システム。
【請求項９】
前記第１操作部に対する前記生体情報モニタ用の操作と、前記第１操作部に対する前記超音波測定装置用の操作と、を異なるものとする、ことを特徴とする請求項３に記載の生体情報測定システム。
【請求項１０】
前記第１処理部は、前記生体情報モニタの測定した前記バイタルサインの解析に基づいて、前記第２処理部に対して制御指示を送信する、ことを特徴とする請求項１〜請求項９のいずれか１項に記載の生体情報測定システム。
【請求項１１】
前記第２処理部は、前記探触子により受信した反射波を基にした超音波画像の解析に基づいて、前記第１処理部に対して制御指示を送信する、ことを特徴とする請求項１〜請求項１０のいずれか１項に記載の生体情報測定システム。
【請求項１２】
センサを介して取得した被験者の生体信号を基にバイタルサインを測定する生体情報モニタと接続可能な超音波測定装置であって、
前記被験者の生体に超音波を照射して反射波を受信する探触子と、超音波による測定または画像化にかかる処理の少なくとも一部を行う第２処理部と、を備える、超音波測定装置。
【請求項１３】
被験者の生体に超音波を照射して反射波を受信する探触子を有し、超音波による測定または画像化にかかる処理の少なくとも一部を行う第２処理部を備えた超音波測定装置と接続可能な生体情報モニタであって、
前記生体情報モニタは、
センサを介して被験者の生体信号を取得し、前記生体信号を基に前記バイタルサインの測定又は解析にかかる処理を行う第１処理部を備える、
生体情報モニタ。
【発明の詳細な説明】
【技術分野】
【０００１】
本発明は生体情報測定システム、生体情報モニタ、及び超音波測定装置に関する。
【背景技術】
【０００２】
被験者の状態を把握するための情報として各種のバイタルサイン（血圧、体温、呼吸、脈拍数、動脈血酸素飽和度、等）が広く利用されている。また被験者の胸部や腹部等の状態を把握するために超音波検査装置が用いられている。
【０００３】
近年、バイタルサインの測定と超音波診断を同時に行う技術が提案されている。例えば特許文献１では、生体情報モニタに対して超音波トランスデューサを接続可能なシステムが開示されている（特許文献１のＦｉｇ．１）。当該システムは、超音波トランスデューサが取得した超音波画像と被験者の生体パラメータ（バイタルサイン）の双方を同時に処理することができる。
【先行技術文献】
【特許文献】
【０００４】
【特許文献１】国際公開第２００９／１３８９０２号パンフレット
【発明の概要】
【発明が解決しようとする課題】
【０００５】
上述のようにバイタルサインと超音波画像を同時に処理（表示）する構成が提案されている。ここで、超音波に関する処理（ビームフォーマッターの制御、画像モードの切り替え、等）は、画像化等を伴うために負荷が高い傾向がある。一方、バイタルサインに関する処理（バイタルサインデータの解析、アラーム鳴動の制御、等）は負荷が一般的には低いものの、連続的に（止まることなく）行うことが望ましい。特に被験者（患者）の容態の管理が重要な救急領域で生体情報モニタを使用する場合、バイタルサインの安定的な連続取得が求められると共に、被験者の病態把握のために超音波画像の取得が必要となるケースがある。
【０００６】
そのため、超音波画像の取得とバイタルサインの取得を共に行う場合、超音波画像取得のための処理がバイタルサイン取得のための処理に影響を与えることを回避する必要がある。すなわち、超音波画像の取得とバイタルサインの取得を共に行う場合、安定的にバイタルサインの取得を行う必要がある。
【０００７】
本発明は上記の事情を鑑みてなされたものであり、超音波画像の取得とバイタルサインの取得を共に行う場合に、安定的にバイタルサインの取得を行うことができる生体情報測定システム、生体情報モニタ、及び超音波測定装置を提供することを主たる目的とする。
【課題を解決するための手段】
【０００８】
本発明にかかる生体情報測定システムの一態様は、
センサを介して取得した被験者の生体信号を基にバイタルサインを測定する生体情報モニタと、
前記生体情報モニタと接続可能に構成され、前記被験者の生体に超音波を照射して反射波を受信する探触子を有する超音波測定装置と、を備え、
前記生体情報モニタは、前記バイタルサインの測定または解析にかかる処理を行う第１処理部を備え、
前記超音波測定装置は、超音波による測定または画像化にかかる処理の少なくとも一部を行う第２処理部を備える、ものである。
【０００９】
生体情報モニタは、バイタルサインの測定に関する処理を行う第１処理部を内部に有する。超音波測定装置は、超音波に関する処理の少なくとも一部を行う第２処理部を内部に有する。換言すると生体情報モニタは超音波に関する処理の一部（または全部）を実行しない。生体情報モニタは処理負荷の大きい超音波に関する処理の一部（または全部）を行わないことにより、安定的にバイタルサインの測定を行うことができる。
【発明の効果】
【００１０】
本発明は、超音波画像の取得とバイタルサインの取得を同時に行う場合に、安定的にバイタルサインの取得を行うことができる生体情報測定システム、生体情報モニタ、及び超音波測定装置を提供することができる。
【図面の簡単な説明】
【００１１】
【図１】実施の形態１にかかる生体情報測定システム１の外観構成例を示す図である。
【図２】実施の形態１にかかる生体情報測定システム１の内部構成を示すブロック図である。
【図３】実施の形態１にかかる生体情報モニタ１０のディスプレイ画面例を示す図である。
【図４】実施の形態２にかかる生体情報測定システム１の内部構成を示すブロック図である。
【図５】実施の形態２にかかる生体情報測定システム１の内部構成を示すブロック図である。
【図６】実施の形態２にかかる超音波測定装置２０の外観構成を示す図である。
【図７】実施の形態２にかかる生体情報測定システム１の内部構成を示すブロック図である。
【図８】実施の形態２にかかる超音波測定装置２０の外観構成を示す図である。
【図９】実施の形態２にかかる生体情報測定システム１の内部構成を示すブロック図である。
【図１０】実施の形態３にかかる生体情報測定システム１の内部構成を示すブロック図である。
【発明を実施するための形態】
【００１２】
＜実施の形態１＞
以下、図面を参照して本発明の実施の形態について説明する。図１は、本実施の形態にかかる生体情報測定システム１の外観構成を示す概念図である。生体情報測定システム１は、生体情報モニタ１０及び超音波測定装置２０を有する。なお図示しないものの生体情報モニタ１０は、センサ３０（後述）とも適宜接続する。
【００１３】
生体情報モニタ１０は、被験者に接続された各種のセンサ３０（図２において後述）からの生体信号を基に、各種のバイタルサインを測定する。ここで被験者に接続されるセンサ３０は、バイタルサイン測定に用いる各種のセンサである。例えばセンサ３０は、血圧測定に用いるカフ、心電図測定等に用いる電極（ディスポ電極、クリップ電極、等）、ＳｐＯ２プローブ、呼吸測定用のマスク、等を含む。また測定対象となるバイタルサインは、例えば血圧、体温、呼吸数、動脈血酸素飽和度、心電図、脈拍数である。生体情報モニタ１０は、ベッドサイドモニタ、携帯型の医用テレメータ、心電図等の測定機能付きの除細動器、等を含む概念である。すなわち生体情報モニタ１０は、バイタルサインを測定する種々の医療装置と解釈できる。以下の説明では、生体情報モニタ１０がいわゆるベッドサイドモニタであるものとして説明を行う。
【００１４】
生体情報モニタ１０は、各種のセンサ３０と接続する接続口（いわゆるコネクタの差込口）を有する。超音波測定装置２０は、当該接続口に着脱可能な装置である。たとえば超音波測定装置２０と生体情報モニタ１０は、ＵＳＢ（Universal Serial Bus）により接続してもよく、その他の任意のコネクタを介して接続してもよい。超音波測定装置２０は、被験者の生体に探触子２１（後述）を接触させることにより、被験者の生体内部の超音波画像を取得する。超音波測定装置２０は、ユーザ（主に医師）が把持可能な重量及び大きさの装置であり、一般的な超音波診断装置のプローブヘッドにケーブルが接続したような形態である。
【００１５】
生体情報モニタ１０は、超音波測定装置２０が取得した超音波画像を表示部１６（後述）に表示することができる。
【００１６】
なお超音波測定装置２０は、生体情報モニタ１０と接続可能な構成であればよい。すなわち超音波測定装置２０は、図示するような有線接続に限られず、無線接続によって生体情報モニタ１０とデータ送受信を行ってもよい。
【００１７】
続いて図２を参照して、生体情報測定システム１の電気的な構成について説明する。図２は、生体情報測定システム１の電気的な構成に着目したブロック図である。センサ３０は、上述のように被験者の生体に接続（例えば貼付）されるバイタルサイン用のセンサである。
【００１８】
生体情報モニタ１０は、入力インターフェイス１１、通信部１２、操作部１３、第１処理部１４、スピーカ１５、表示部１６、及び記憶部１７を有する。図示しないものの生体情報モニタ１０は、ＣＰＵ(Central Processing Unit)や内部電源等も適宜備える。
【００１９】
入力インターフェイス１１は、上述の接続口及びその周辺回路等である。入力インターフェイス１１は、センサ３０及び超音波測定装置２０から受信した信号を第１処理部１４に供給する。また入力インターフェイス１１は、生体情報モニタ１０からセンサ３０または超音波測定装置２０に対して信号を送信する。後述するが、生体情報モニタ１０は超音波測定装置２０から超音波画像のデータを受信する。
【００２０】
通信部１２は、他の装置（例えばセントラルモニタ）とのデータの送受信を行う。通信部１２は、例えば無線ＬＡＮ（Local Area Network）等にかかる通信規格を満たすものであれば良い。なお通信部１２は、有線ケーブルを用いて通信処理を行ってもよい。
【００２１】
ユーザ（主に医師）は、操作部１３を介して生体情報モニタ１０に対する入力を行う。操作部１３は、例えば生体情報モニタ１０の筐体上に設けられたボタン、つまみ、回転型セレクター、キー、等である。操作部１３を介した入力は、第１処理部１４に供給される。
【００２２】
スピーカ１５は、アラームをはじめとする各種の報知音を出力する。スピーカ１５は、第１処理部１４の制御に応じて報知を行う。
【００２３】
表示部１６は、生体情報モニタ１０の筐体上に設けられたディスプレイ及びその周辺回路等である。表示部１６は、第１処理部１４の制御に応じて各種バイタルサインの波形や測定値を表示する（図１参照）。
【００２４】
なお操作部１３と表示部１６は、一体となった構成（いわゆるタッチパネルのような構成）であってもよい。
【００２５】
記憶部１７は、第１処理部１４が使用する各種のプログラム（システムソフトウェア、及び各種のアプリケーションソフトウェアを含む）やデータ（バイタルサインの測定値や設定値、後述の超音波画像等を含む）を記憶する。第１処理部１４は、記憶部１７からのプログラムやデータの読み出しを適宜行う。また第１処理部１４は、記憶部１７へのデータの書き込みを適宜行う。記憶部１７は、生体情報モニタ１０内に設けられた二次記憶装置であり、例えば生体情報モニタ１０内に設けられたハードディスクである。なお記憶部１７は、生体情報モニタ１０に内蔵されている場合に限られず、生体情報モニタ１０に着脱可能な構成（例えば生体情報モニタ１０に着脱可能なＵＳＢ（Universal Serial Bus）メモリ等）であってもよい。
【００２６】
第１処理部１４は、主に生体情報モニタ１０に関する処理（バイタルサインの測定または解析にかかる各種の処理を含む）を行う処理部である。具体的には第１処理部１４は、以下の処理の少なくとも一部を含む各種の処理を行う。
・センサ３０からの生体信号の取得
・生体信号を基にした各種のバイタルサインの測定値及び波形の算出（バイタルサインの測定）
・表示部１６への表示制御（バイタルサインの測定値及び波形の表示に加え、超音波画像の表示を行ってもよい）
・閾値とバイタルサインの測定値の比較に基づくアラーム状態の検出
・アラーム状態を検出した場合のスピーカ１５を介したアラーム音の鳴動
・記憶部１７に対するデータ（バイタルサインの測定値及び波形を含む）の書き込み
・記憶部１７からのデータ（バイタルサインの測定値及び波形を含む）の読み出し
・各種のエラー検出
・操作部１３からの入力に応じた各種の演算処理
・通信部１２からの入力に応じた各種の演算処理
・通信部１２を介した各種データ送信
・入力インターフェイス１１を介した超音波測定装置２０への各種データ送信
・超音波測定装置２０からの超音波画像データの取得
【００２７】
すなわち第１処理部１４は、バイタルサインの測定を行うと共に、バイタルサインの測定値や波形を表示部１６に表示する。また第１処理部１４は、超音波測定装置２０から受信した超音波画像をバイタルサインの測定値や波形と共に表示部１６に表示してもよい。
【００２８】
図３は、超音波画像とバイタルサインの情報が重畳的に表示された画面の一例である。図示するように、生体情報モニタ１０のディスプレイ上には、バイタルサインの表示領域Ａ１と超音波画像の表示領域Ａ２が表示されている。ユーザ（主に医師）は、このディスプレイ（図３）を参照することにより被験者のバイタルサインの状態を確認できると共に、被験者患部の内部状態（超音波画像）を確認できる。
【００２９】
続いて超音波測定装置２０について説明する。超音波測定装置２０は、図１に示したように生体情報モニタ１０に着脱可能な装置である。超音波測定装置２０は、いわゆるプローブに類する形状を有する。超音波測定装置２０は、探触子２１、第２処理部２２、及び記憶部２３を有する。
【００３０】
なお超音波測定装置２０は、生体情報モニタ１０から電力供給を受けて動作する装置であってもよく、内部電源を有する構成であってもよい。
【００３１】
探触子２１は、被験者の生体に接触（または近接）して超音波を照射する。また探触子２１は、反射した超音波（反射波）を受信する。探触子２１は、受信した超音波を第２処理部２２に供給する。
【００３２】
なお探触子２１の種類は、特に限定されない。すなわち探触子２１は、コンベックス型、セクタ型、リニア型、この他の種類、のいずれであってもよい。
【００３３】
第２処理部２２は、超音波診断に関する各種の処理（超音波による測定または画像化にかかる処理）を行う。具体的には第２処理部２２は、例えば以下の処理の少なくとも一部を含む各種の処理を行う。
・探触子２１の超音波周波数の設定
・探触子２１のビームフォーミングに関する設定、及び探触子２１からの超音波の発信制御
・探触子２１が受信した反射波を演算（反射エコー信号の整合加算）し、超音波受信ビームを形成
・超音波受信ビームに対するモード信号処理、ＣＦ信号処理、ドプラ信号処理
・スキャン処理による超音波画像の形成
・超音波受信ビーム（または超音波画像）を基にした血流量、呼吸数、心音、胎動、等の測定値の算出
・モード切り替え処理（Ｂモード、Ｍモード、Ｄモード、等）
・探触子２１のエラー検出
・生体情報モニタ１０とのデータ送受信（超音波画像の送信も含む）
【００３４】
すなわち第２処理部２２は、超音波による測定または画像化にかかる処理を行う。第２処理部２２は、上記処理により取得した超音波画像のデータを生体情報モニタ１０に送信する。
【００３５】
換言すると超音波測定装置２０は、内部で処理負荷の大きい超音波に関する処理を行い、加工済みの超音波画像のデータを生体情報モニタ１０に送信する。つまり生体情報モニタ１０は、基本的に超音波の測定や画像化に関する処理は行わず、超音波画像の表示制御のみを行う。
【００３６】
記憶部２３は、第２処理部２２が使用する各種のプログラム（システムソフトウェア、及び各種のアプリケーションソフトウェアを含む）やデータ（超音波画像の履歴値や設定値等を含む）を記憶する。第２処理部２２は、記憶部２３からのプログラムやデータの読み出しを適宜行う。また第２処理部２２は、記憶部２３へのデータの書き込みを適宜行う。記憶部２３は、超音波測定装置２０内に設けられた二次記憶装置であり、例えば超音波測定装置２０内に設けられたハードディスクである。なお記憶部２３は、超音波測定装置２０内に内蔵されている場合に限られず、超音波測定装置２０に着脱可能な構成（例えば超音波測定装置２０に着脱可能なＵＳＢ（Universal Serial Bus）メモリ等）であってもよい。
【００３７】
続いて本実施の形態にかかる生体情報測定システム１の効果について説明する。生体情報モニタ１０は、バイタルサインの測定に関する処理を行う第１処理部１４を内部に有する。超音波測定装置２０は、超音波に関する処理を行う第２処理部２２を内部に有する。換言すると生体情報モニタ１０は超音波に関する処理を原則として行わない。生体情報モニタ１０は処理負荷の大きい超音波に関する処理を行わないことにより、安定的にバイタルサインの測定を継続して行うことができる。
【００３８】
また超音波測定装置２０は、生体情報モニタ１０に着脱可能に構成されており、把持可能な重量及びサイズである。また超音波測定装置２０は、生体情報モニタ１０と無線接続可能な装置であり、把持可能な重量およびサイズであってもよい。つまり超音波測定装置２０は持ち運びできる構成であり、有線または無線で生体情報モニタ１０と接続可能な構成である。そのため、各病室に生体情報モニタ１０が配置されているような場合、ユーザは一つの超音波測定装置２０を運搬して各生体情報モニタ１０に着脱することにより、各被験者に対する超音波診断を行うことができる。これによりユーザ（医師等）は、容易な手法で超音波画像をバイタルサインと共に参照することができる。
【００３９】
一般的に探触子２１が取得するデータ量はかなり多い。そのため、仮に探触子２１が取得したデータをそのまま生体情報モニタ１０に送信する場合、複数チャンネル（６４ｃｈ、１２８ｃｈ、等）程度のケーブル線が必要となる上に高圧の電圧がかかってしまう。これらの要因は取得データの劣化につながり、取得画像の品質にかかわる。しかしながら本実施の形態では超音波測定装置２０が超音波に関する処理（画像化等）を行った後にデータ送信を行うため、そのような問題を解決することもできる。
【００４０】
なお生体情報モニタ１０が超音波測定にかかる処理の一部を行う構成であってもよい。例えば生体情報モニタ１０は、超音波測定装置２０から送信された超音波画像の画質調整等を行ってもよい。換言すると超音波測定装置２０は、超音波測定にかかる処理の少なくとも一部を実行する。この場合であっても、処理負荷の高い超音波測定にかかる処理の少なくとも一部は超音波測定装置２０において実行される。これにより生体情報モニタ１０の処理負荷が軽減し、超音波測定を行っている場合であっても安定的にバイタルサインの測定を行うことができる。
【００４１】
＜実施の形態２＞
本実施の形態にかかる生体情報測定システム１は、第１処理部１４及び第２処理部２２の少なくとも一方に対して制御指示を送信する第３処理部４２を有することを特徴とする。本実施の形態にかかる生体情報測定システム１について、実施の形態１と異なる点を以下に説明する。なお、以下の説明において同一符号及び同一名称を付した構成は、特に言及しない限り実施の形態１と同様の処理を行う。
【００４２】
はじめに本実施の形態にかかる生体情報測定システム１の概念を図４を参照して説明する。本実施の形態にかかる生体情報測定システム１は、実施の形態１の構成（図２）に加えて操作部４１（第１操作部）及び第３処理部４２を備える。操作部４１及び第３処理部４２は、後述するように生体情報モニタ１０の筐体内に実装されてもよく、超音波測定装置２０の筐体内に実装されてもよい。なお図示しないものの操作部４１及び第３処理部４２は、単独の筐体上（生体情報モニタ１０及び超音波測定装置２０とは異なる装置の筐体上）に設けられていてもよい。
【００４３】
第３処理部４２は、操作部４１の操作に基づいて第１処理部１４及び第２処理部２２の少なくとも一方に対して制御指示を送信する。すなわち第３処理部４２は、第１処理部１４及び第２処理部２２を制御する。ここで制御指示とは、例えば以下の制御を行うための信号（またはソフトウェア的な命令）である。
・超音波測定装置２０に対するモード切り替え
・生体情報モニタ１０に対するアラーム消音指示
・生体情報モニタ１０に対する設定変更指示
・生体情報モニタ１０に対する画面ウインドウの設定指示（ウインドウサイズの変更、非表示等）
・生体情報モニタ１０に対するリセット（初期化）指示
・超音波測定装置２０に対するリセット（初期化）指示
・生体情報モニタ１０及び超音波測定装置２０の双方に対する各種の指示（たとえばリセット（初期化）指示や異常状態通知）
【００４４】
なお上記の制御指示の内容はあくまでも一例であり、この他の指示であってもよいことは勿論である。第１処理部１４及び第２処理部２２は、受信した制御指示に従って処理を行う。第３処理部４２は、必ずしも操作部４１の操作に応じて制御指示を出力する必要はなく、この他のトリガを基に制御指示を出力してもよい。例えば第３処理部４２は、図示しないタイマーを監視し、あるイベントから所定時間経過した場合に制御指示を出力してもよい。
【００４５】
また第３処理部４２は、第１処理部１４や第２処理部２２からの入力に応じて制御指示を送信してもよい。例えば第１処理部１４及び第２処理部２２は、定期的に生存信号（正常動作をしていることを示す信号）を第３処理部４２に送信する。第３処理部４２は、生存信号が所定のタイミングで得られない場合には、生存信号を送信してこない装置（生体情報モニタ１０または超音波測定装置２０）に対してリセットを指示する制御指示を送ればよい。
【００４６】
すなわち第３処理部４２は、所定のトリガ（操作部４１からの入力、所定時間経過、異常状態の検出、等）が生じた場合に、適切な装置（生体情報モニタ１０及び超音波測定装置２０の少なくとも一方）に対して制御指示を送信する。これにより、システム全体を適切に制御することができる。
【００４７】
（実装例１）
続いて操作部４１及び第３処理部４２の第１の実装例について図５及び図６を参照して説明する。図５を参照すると、本実装例では、操作部４１及び第３処理部４２が超音波測定装置２０内に実装されている。
【００４８】
超音波測定装置２０は、実施の形態１（図２）の構成に加えて操作部４１及び第３処理部４２を備える。本実施の形態にかかる超音波測定装置２０の外観構成を図６に示す。
【００４９】
図６の外観構成では、超音波測定装置２０は探触子２１を有するプローブヘッド２４、操作部４１（４１−１〜４１−４）が設けられた操作筐体２６、プローブヘッド２４と操作筐体２６を接続する第１ケーブル２５、操作筐体２６とコネクタ（図示せず）を接続する第２ケーブル２７を有する。
【００５０】
操作筐体２６には、操作部４１としてボタン４１−１〜４１−３、及び回転型セレクター４１−４が設けられている。勿論、操作筐体２６上に設けられる操作インターフェイスの数や種類は任意のものでよい。
【００５１】
ここで、生体情報モニタ１０用の操作インターフェイス（第１インターフェイス）と、超音波測定装置２０用の操作インターフェイス（第２インターフェイス）と、は異なる形状であることが好ましい。本例では、回転型セレクター４１−４が超音波測定装置２０用の操作インターフェイスであり、ボタン４１−１〜４１−３が生体情報モニタ１０用の操作インターフェイスである。各装置向けの操作インターフェイスが異なる形状であることにより、触感のみ（換言すると操作筐体２６を見ることなく）で所望の装置に対する操作を行うことができる。
【００５２】
なお、操作筐体２６とプローブヘッド２４が一体化された構成、すなわちプローブヘッド２４上に操作部４１が設けられた構成も勿論可能である。また第２ケーブル２７が存在せず、操作筐体２６内またはプローブヘッド２４内に無線通信機能が実装され、当該無線通信機能を介して生体情報モニタ１０とのデータ送受信を行ってもよい。
【００５３】
また生体情報モニタ１０用の操作と、超音波測定装置２０用の操作と、が異なるものであってもよい。例えば生体情報モニタ１０用の操作は長押しやダブルクリック等であり、超音波測定装置２０用の操作は通常のボタン押下であればよい。長押しやダブルクリック等を採用することにより、操作者の意図しない操作が処理されてしまう恐れ（誤操作の誘発）を軽減することができる。
【００５４】
再び図５を参照する。第３処理部４２は、操作部４１の操作を解析し、どの装置に対するどのような制御であるかを決定する。そして第３処理部４２は、制御指示を適切な装置に対して送信する。
【００５５】
なお物理的な構成は任意のものとすることができる。たとえばプローブヘッド２４に探触子２１のみが搭載され、操作筐体２６に第２処理部２２、第３処理部４２、及び記憶部２３等が搭載される構成であってもよい。またプローブヘッド２４に探触子２１と第３処理部４２が搭載され、操作筐体２６に第２処理部２２と記憶部２３等が搭載される構成とすることもできる。更にプローブヘッド２４と操作筐体２６は着脱可能な構成であってもよい。プローブヘッド２４と操作筐体２６が着脱可能な構成である場合、操作筐体２６に任意のプローブヘッド２４（たとえばセクタ型のプローブヘッド２４、コンベックス型のプローブヘッド２４、等）を付け替えることも可能である。
【００５６】
以上のように本実装例では、ユーザが把持する超音波測定装置２０に操作部４１が設けられている。これによりユーザは、手元で把持する超音波測定装置２０側を操作するのみで、生体情報モニタ１０と超音波測定装置２０の双方を制御することができる。特に第２ケーブル２７が長いことによってユーザと生体情報モニタ１０が物理的に離れている場合であっても、ユーザは容易に生体情報モニタ１０を制御する（例えばアラームを即座に止める）ことができる。これにより救急領域での使用等の場合であっても、素早く簡便な操作を実現することができる。
【００５７】
（実装例２）
操作部４１及び第３処理部４２の第２の実装例について図７及び図８を参照して説明する。本実装例では、操作部４１及び第３処理部４２が超音波測定装置２０内に実装されていると共に、表示部２８が実装されている点を特徴とする。
【００５８】
図７を参照すると本実装例では、操作部４１、第３処理部４２、及び表示部２８が超音波測定装置２０内に実装されている。表示部２８は、超音波測定装置２０に設けられたディスプレイ及びその周辺回路等である。表示部２８には、探触子２１を用いて取得した超音波画像が表示される。または表示部２８と操作部４１が一体化されている場合、タッチパネルの操作画面（操作部４１の操作画面）が表示部２８に表示される。勿論、表示部２８に超音波画像とタッチパネルの操作画面の双方が表示されてもよい。また表示部２８には、上記の情報（超音波画像及びタッチパネルの操作画面の少なくとも一方）に加え、生体情報モニタ１０から取得した任意のバイタルサイン（各種測定波形、測定値）を表示してもよい。この場合、生体情報モニタ１０は適宜バイタルサインの測定波形や測定値のデータを超音波測定装置２０に送信する。表示部２８には例えば図３相当の表示画面が表示されればよい。更に超音波測定装置２０には、必須ではないもののカメラ、マイク、スピーカ等が適宜備えられていてもよい。例えばカメラは、超音波測定時に周囲の状況を撮像する。この撮像画像は、例えば表示部２８に表示されたり、記憶部２３に格納されれば良い。また撮像画像は、生体情報モニタ１０に転送されてもよい。この撮像画像は、ユーザ操作等に応じて適宜読み出されて表示される。この撮像画像を参照することにより、超音波測定時の状況を適切に把握することができる。同様にマイクは、超音波測定時の周囲音を取得し、取得した記憶部２３や生体情報モニタ１０の記憶部１７に格納すれば良い。この周囲音を参照することによっても、超音波測定時の状況を適切に把握することができる。またスピーカは、超音波測定時にエラーが生じた時等に当該状況を報知すること等に用いられれば良い。
【００５９】
第２処理部２２は、設定に応じて超音波画像を生体情報モニタ１０に送信すると共に、表示部２８に超音波画像を表示する。また第３処理部４２は、ユーザによる操作部４１の押下等に応じて適宜操作画面を表示部２８に表示する。
【００６０】
本実装例（図７）にかかる超音波測定装置２０の外観構成を図８に示す。本実装例では、図６の外観構成に加え、操作筐体２６上に表示部２８（ディスプレイ）が設けられている。この表示部２８上に超音波画像や生体情報モニタ１０の設定画面等が表示される。これによりユーザは、生体情報モニタ１０を見ることなく、手元で超音波画像を確認することや生体情報モニタ１０の設定を変更することが可能となる。なお図８の例では、探触子２１と表示部２８が有線接続されており、表示部２８と生体情報モニタ１０（第２ケーブル２７）が有線接続されているものとしたが必ずしもこれに限られない。すなわち探触子２１と表示部２８が無線通信を行ってもよく、表示部２８と生体情報モニタ２８が無線通信を行ってもよい。また探触子２１と生体情報モニタ１０が無線通信を行う構成にすることも可能である。すなわち各処理部（装置）の通信形式は有線であっても無線であっても構わない。
【００６１】
また実装例１及び実装例２の例では、プローブヘッド２４と操作筐体２６が第１ケーブル２５により接続された形態となっている。プローブヘッド２４及び操作筐体２６は、ケーブルと比べて重量が重い。そのためユーザ（主に医師）は、移動時に第１ケーブル２５を首にかけて超音波測定装置２０を運搬することができる。換言するとユーザは、手で握ることなく超音波測定装置２０を運搬できる。
【００６２】
（実装例３）
操作部４１及び第３処理部４２の第３の実装例について図９を参照して説明する。本実装例では、操作部４１及び第３処理部４２が生体情報モニタ１０内に実装されている。操作部４１は、生体情報モニタ１０内の操作部１３と一体構成されている。
【００６３】
生体情報モニタ１０は、実施の形態１の構成（図２）に加えて第３処理部４２を有する。ユーザは、生体情報モニタ１０上に設けられた操作部１３（ボタンやタッチパネル）を操作して、生体情報モニタ１０や超音波測定装置２０に対する操作を入力する。第３処理部４２は、入力操作に応じてどちらの装置に制御指示を送るかを決定したうえで制御指示を送信する。すなわち第３処理部４２は、内部の第１処理部１４に対する制御指示を送信できると共に、装置外部の第２処理部２２に対しても制御指示を送信できる構成である。なお第１処理部１４と第３処理部４２は、装置内部では一体的に形成されていてもよい。
【００６４】
このように生体情報モニタ１０内の操作部１３（４１）を操作することにより、生体情報モニタ１０及び超音波測定装置２０を制御することができる。これにより、処理負荷の高い超音波にかかる処理を超音波測定装置２０に実行させた状態のまま、生体情報モニタ１０を操作するのみで双方の装置（生体情報モニタ１０及び超音波測定装置２０）を制御することができる。
【００６５】
＜実施の形態３＞
本実施の形態にかかる生体情報測定システム１は、バイタルサインや超音波画像の状態に応じて、生体情報モニタ１０と超音波測定装置２０が相互に制御することを特徴とする。以下、本実施の形態にかかる生体情報測定システム１について、実施の形態１と異なる点を説明する。
【００６６】
図１０は、本実施の形態にかかる生体情報測定システム１の構成を示すブロック図である。当該構成自体は、基本的に実施の形態１（図２）と同様であるが、第１処理部１４及び第２処理部２２の動作が異なる。
【００６７】
以下、本実施の形態にかかる第１処理部１４の動作例を説明する。第１処理部１４は、バイタルサインの解析に基づいて超音波測定装置２０（第２処理部２２）に対する制御や表示部１６の表示制御を行う。以下、制御の一例を説明する。
【００６８】
第１処理部１４は、センサ３０から取得した生体信号を基に各種のバイタルサインの測定値や波形を算出する。第１処理部１４は、各種のバイタルサインの測定値や波形を所定の閾値と比較することにより異常を検出する。第１処理部１４は、バイタルサインの異常を検出した場合、超音波測定装置２０による超音波画像の取得を一時的に停止させるための制御指示を送信する。これによりバイタルサインのみが表示される状態となる。または第１処理部１４は、バイタルサインの異常を検出した場合、超音波測定装置２０から受信した超音波画像の表示部１６への表示処理を一時的に停止してもよい。
【００６９】
これにより、バイタルサインを注視すべき場合に、ユーザが適切にバイタルサインを参照することができる。
【００７０】
同様に第２処理部２２は、探触子２１を基に取得した超音波画像を解析し、異常を検出した場合に第１処理部１４に対して任意の制御指示を送信してもよい。
【００７１】
上述のように各処理部（第１処理部１４、第２処理部２２）の解析に応じた制御を行うことにより、被験者の生体異常等に応じた表示や診断を行うことが可能となる。
【００７２】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００７３】
上述の第１処理部１４、第２処理部２２、第３処理部４２の処理の少なくとも一部は、生体情報モニタ１０（または超音波測定装置２０）内で動作するコンピュータプログラムとして実現することができる。
【００７４】
ここでプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００７５】
１  生体情報システム
１０  生体情報モニタ
１１  入力インターフェイス
１２  通信部
１３  操作部
１４  第１処理部
１５  スピーカ
１６  表示部
１７  記憶部
２０  超音波測定装置
２１  探触子
２２  第２処理部
２３  記憶部
３０  センサ
【図１】
2017051594.tif 000003
【図２】
2017051594.tif 000004
【図３】
2017051594.tif 000005
【図４】
2017051594.tif 000006
【図５】
2017051594.tif 000007
【図６】
2017051594.tif 000008
【図７】
2017051594.tif 000009
【図８】
2017051594.tif 000010
【図９】
2017051594.tif 000011
【図１０】
2017051594.tif 000012